(57)【要約】      （修正有）【課題】放熱効率が良好なダイオードランプを提供する。【解決手段】フレーム１１０と、フレームに連接される主体１２０と、主体に配置される発光ダイオード配列モジュール１３０とファン１４０を含む。フレームはと多数個の支持部材１１４を有し、ここでは、底板１１２は開口部１１２ｃを有し、支持部材はそれぞれ第一係合部１１４ｃを有する。主体１２０は土台１２２と多数個の放熱フィン１２４を含む。土台は収納空間と多数個の第二係合部１２２ｃを有する。収納空間は開口部に対応されており、これら第二係合部はそれぞれこれら第一係合部に係合される。どの二つの隣接するこれら放熱フィンの間にも気流経路がある。発光ダイオード配列モジュール１３０は収納空間内に位置づけられ、電源に電気的に接続される。ファンは電源に電気的に接続され、気流を発生させることにより、気流をこれら気流経路と土台に向けて吹き込ませ、発光ダイオード配列モジュールの熱が排出させられる。【選択図】図２
0003163266.tif 000002
【実用新案登録請求の範囲】
【請求項１】
電源に電気的に接続されるダイオードランプであって、
開口部を有する底板と前記底板に連接され第一係合部を有する多数個の支持部材を含むフレームと、
前記フレームに連接され、土台と前記土台に連接される多数個の放熱フィンからなる主体と、
前記主体上に配置され、かつ前記収納空間内に位置づけられ、前記電源に電気的に接続される発光ダイオード配列モジュールと、
前記主体上に配置され、かつ前記電源に電気的に接続され、前記これらの放熱フィンの一端を取り囲み、かつ前記これらの気流経路と前記土台に向けて吹き込まれる気流を発生させ、前記発光ダイオード配列モジュールの熱を排出させるファンを含み、
前記土台は収納空間と多数個の第二係合部を有し、
どの２つの隣接する前記放熱フィンの間にも気流経路があり、
前記収納空間は前記開口部に対応し、
前記第二係合部はそれぞれ前記第一係合部に係合されることを特徴とする、ダイオードランプ。
【請求項２】
前記底板は上部の表面と前記上部の表面に対向する下部の表面を有し、それぞれの前記支持部材は基部とロッド部を有し、前記基部は前記上部の表面上に固定され、前記開口部の縁と前記底板の外縁の間に位置づけられ、前記ロッド部の延長方向と前記底板の延長方向は実質上垂直であることを特徴とする、請求項１に記載のダイオードランプ。
【請求項３】
複数個のホールダー構造をさらに有し、前記ダイオードランプが貫通穴を有する板材に嵌め込まれる時、前記これらのホールダー構造と前記底板はともに前記板材を固定させることを特徴とする請求項２に記載のダイオードランプ。
【請求項４】
それぞれの前記ホールダー構造は弾性変化端と自由端を有し、前記弾性変化端は前記支持部材上に組み立てられ、前記自由端は力を加えられた後、前記ファンの方向に近づくように移動し、かつ前記弾性変化端から提供される反発力によって、前記自由端と前記底板はともに前記板材を固定させることを特徴とする、請求項３に記載のダイオードランプ。
【請求項５】
それぞれの前記ホールダー構造は前記支持部材上に組み立てられるスプリングと、前記プリングに連接されホールダー部を含み、前記スプリングは反発力を提供し、前記ホールダー部と前記底板はともに前記板材を固定させることを特徴とする、請求項３に記載のダイオードランプ。
【請求項６】
前記主体は外表面と開口部に対応する底表面を有し、前記収納空間は前記底表面に位置づけられ、前記これらの放熱フィンは前記外表面の周りにあり、前記これらの放熱フィンの延長方向と前記支持部材の延長方向は実質上相同であり、前記これらの放熱フィンの一端は一体となってプラットホームを構成し、前記ファンは前記プラットホーム上に位置づけられることを特徴とする、請求項１に記載のダイオードランプ。
【請求項７】
前記主体に配置され、かつ前記収納空間内に位置づけられる少なくとも一つの三次光学部材をさらに含み、前記三次光学部材の発光面は前記開口部に対応されることを特徴とする、請求項１に記載のダイオードランプ。
【請求項８】
前記主体に配置され、かつ前記発光ダイオード配列モジュールと前記三次光学部材の間に位置づけられる二次光学部材をさらに含み、前記二次光学部材は前記開口部に対応されることを特徴とする、請求項７に記載のダイオードランプ。
【請求項９】
さらに複数個の第一締め具部材を含み、前記発光ダイオード配列モジュールは複数個の固定孔を有し、前記これらの締め具部材はそれぞれ前記これらの固定孔を貫通し、前記発光ダイオード配列モジュールは前記主体の前記収納空間内に固定されることを特徴とする、請求項１に記載のダイオードランプ。
【請求項１０】
さらに複数個の第二締め具部材を含み、前記主体は複数個の第一位置決め穴を有し、前記ファンは、複数個の第二位置決め穴を有し、前記これらの第二締め具部材はそれぞれ前記これらの第二位置決め穴と前記これらの第一位置決め穴を順々に貫通し、前記ファンは前記主体上に固定されることを特徴とする、請求項１に記載のダイオードランプ。
【考案の詳細な説明】
【技術分野】
【０００１】
本考案は、ダイオードランプに関し、より詳しくは、放熱効率が良好なダイオードランプに関する。
【０００２】
従来から、発光ダイオードを利用したダイオードランプが幅広く知られている。
【考案の概要】
【考案が解決しようとする課題】
【０００３】
しかしながら、従来の技術では、発光ダイオードの発光輝度と発光効率は持続的に上昇し、高パワーの発光ダイオードはどれも放熱の面において問題があり、もし発光ダイオードが高温の状況下で操作されると、ダイオードランプが提供する光線の輝度が減衰し、寿命が低下するなどといった問題があった。
【０００４】
本考案はこのような従来技術の問題点に鑑みてなされたものである。上記課題を解決するため、本考案は放熱効率が良好なダイオードランプを提供することを主目的とする。
【課題を解決するための手段】
【０００５】
本考案によれば、
電源に電気的に接続されるダイオードランプであって、
開口部を有する底板と底板に連接され第一係合部を有する多数個の支持部材を含むフレームと、
フレームに連接され、土台と土台に連接される多数個の放熱フィンからなる主体と、
主体上に配置され、かつ収納空間内に位置づけられ、電源に電気的に接続される発光ダイオード配列モジュールと、
主体上に配置され、かつ電源に電気的に接続され、これらの放熱フィンの一端を取り囲み、かつこれらの気流経路と土台に向けて吹き込まれる気流を発生させ、発光ダイオード配列モジュールの熱を排出させるファンを含み、
ここでは、土台は収納空間と多数個の第二係合部を有し、どの２つの隣接する放熱フィンの間にも気流経路があり、収納空間は開口部に対応し、これらの第二係合部はそれぞれこれらの第一係合部に係合されることを特徴とする、ダイオードランプが提供される。
【０００６】
本考案によれば、上述の底板は上部の表面とこれに対向する下部の表面を有し、支持部材はそれぞれ基部とロッド部を有する。基部は上部の表面上に固定され、開口部の縁と底板の外縁の間に位置づけられる。また、ロッド部の延長方向と底板の延長方向は実質上垂直である。
【０００７】
本考案によれば、上述のダイオードランプはさらに複数個のホールダー構造を含む。ダイオードランプが貫通穴を有する板材に嵌め込まれる時、ホールダー構造と底板によって板材は固定される。
【０００８】
本考案によれば、上述のホールダー構造は弾性変化端と自由端を有する。弾性変化端は支持部材上に組み立てられ、自由端は力を加えられた後、ファンの方向に近づくように移動し、かつ弾性変化端から提供される反発力によって、自由端と底板はともに板材を固定させる。
【０００９】
本考案によれば、上述のそれぞれのホールダー構造はスプリングとホールダー部を含み、スプリングは支持部材上に組み立てられる。ホールダー部とスプリングは連接され、ここでは、スプリングは反発力を提供し、ホールダー部と底板はともに板材を固定させる。
【００１０】
本考案によれば、上述のそれぞれの第一係合部は係止穴であり、それぞれの第二係合部はストッパーである。
【００１１】
本考案によれば、上述のそれぞれの第一係合部はストッパーであり、それぞれの第二係合部は係止穴である。
【００１２】
本考案によれば、上述の主体は外表面と開口部に対応する底表面を有し、収納空間は底表面に位置づけられる。これらの放熱フィンは外表面の周りにあり、これらの放熱フィンの延長方向と支持部材の延長方向は実質上相同である。これらの放熱フィンの一端はともにプラットホームを構成し、ファンはプラットホーム上に位置づけられる。
【００１３】
本考案によれば、上述のダイオードランプはさらに少なくとも一つの三次光学部材を含む。三次光学部材は主体に配置され、かつ収納空間内に位置づけられる。
【００１４】
本考案によれば、上述のダイオードランプはさらに二次光学部材を含む。二次光学部材は主体に配置され、かつ発光ダイオード配列モジュールと三次光学部材の間に位置づけられる。二次光学部材は開口部に対応する。
【００１５】
本考案によれば、上述のダイオードランプはさらに複数個の第一締め具部材を含み、発光ダイオード配列モジュールは複数個の固定孔を有する。第一締め具部材はそれぞれ固定孔を貫通し、発光ダイオード配列モジュールは主体の収納空間内に固定される。
【００１６】
本考案によれば、上述の第一締め具部材はねじあるいはボルトを含む。
【００１７】
本考案によれば、上述のダイオードランプはさらに複数個の第二締め具部材を含み、ここでは、主体は複数個の第一位置決め穴を有し、ファンは複数個の第二位置決め穴を有する。第二締め具部材はそれぞれ第二位置決め穴と第一位置決め穴を順々に貫通し、ファンは主体上に固定される。
【００１８】
本考案によれば、上述の第二締め具部材はねじ、またはボルトを含む。
【００１９】
本考案によれば、上述の主体は第二係合部と第一係合部を通り、フレームの支持部材上にピボットされる。
【考案の効果】
【００２０】
本考案によれば放熱効率が良好なダイオードランプを提供できるだけでなく、ダイオードランプが提供する光線の輝度が減衰し、寿命が低下するなどといった問題を解消することができる。
【００２１】
本考案はこのような従来技術の問題点に鑑みてなされたものである。上記課題を解決するため、本考案はを主目的とする。
【図面の簡単な説明】
【００２２】
【図１】本考案の実施形態に係るダイオードランプを示す斜視図である。
【図２】図１のダイオードランプを示す分解図である。
【図３】図１のダイオードランプを別の角度からみた一部拡大図である。
【図４Ａ】図１のダイオードランプを貫通穴を有する板材に嵌め込んだ様子を示す工程概略図である。
【図４Ｂ】図１のダイオードランプを貫通穴を有する板材に嵌め込んだ様子を示す工程概略図である。
【考案を実施するための形態】
【００２３】
以下、本考案を実施するための形態について、詳細に説明する。なお、本考案は、以下に説明する実施形態に限定されるものではない。
【００２４】
図１は本考案の実施形態に係るダイオードランプの斜面図、図２は図１のダイオードランプの分解図、図３は図１のダイオードランプの別の角度からみた一部拡大図である。
【００２５】
図１と図２に示したように、本考案の実施形態に係るダイオードランプ１００は電源（図示せず）に電気的に接続され、ダイオードランプ１００はフレーム１１０、主体１２０、発光ダイオード配列モジュール１３０及びファン１４０を含む。
【００２６】
詳細に説明すれば、フレーム１１０は底板１１２と底板１１２に連接される複数個の支持部材１１４（図１と図２では２つだけ示されている）を有する。
底板１１２は上部の表面１１２ａと上部の表面１１２ａに対向する下部の表面１１２ｂ及び開口部１１２ｃを有する。
それぞれの支持部材１１４は基部１１４ａ、ロッド部１１４ｂ、及び第一係合部１１４ｃを有する。
これらの支持部材１１４はそれぞれ上部の表面１１２ａ上に固定され、これらの基部１１４は開口部１１２ｃの縁と底板１１２の外縁の間に位置づけられる。
これらのロッド部１１４ｂの延長方向と底板１１２の延長方向は実質上垂直であり、かつこれらの第一係合部１１４ｃはそれぞれこれらのロッド部１１４ｂの上に位置づけられる。
本実施形態ではフレーム１１０の底板１１２とこれら支持部材１１４は一体形成され、フレーム１１０の材質は例えば、鋼（SPCC）である。
【００２７】
図２と図３に示されているように、主体１２０はフレーム１１０に連接され、かつ主体１２０は外表面１２２ａと開口部１１２ｃに対応する底表面１２２ｂを有する。
主体１２０は土台１２２と土台１２２に連接される複数個の放熱フィン１２４を含み、土台１２２は収納空間１２２ｄと複数個の第二係合部１２２ｃを有する。
収納空間１２２ｄは底表面１２２ｂに位置づけられ、かつ底板１１２の開口部１１２ｃに対応する。
これらの第二係合部１２２ｃはそれぞれこれらの第一係合部１１４ｃに係合される。
これらの放熱フィン１２４は主体１２０の外表面１２２ａの周りにあり、どの２つの隣接する放熱フィン１２４の間にも気流経路１２４ａがある。これらの放熱フィン１２４の延長方向とこれらの支持部材１１４のこれらロッド部１１４ｂの延長方向と実質相同であり、かつそれぞれの放熱フィン１２４の一端はともにプラットホーム１２４ｂを構成する。
本実施形態では、主体１２０の土台１２２とこれら放熱フィン１２４は一体形成され、かつ主体１２０の材質は例えば、アルミニウムである。
【００２８】
発光ダイオード配列モジュール１３０は主体１２０上に配置され、かつ収納空間１２２ｄ内に位置づけられる。そして、発光ダイオード配列モジュール１３０と電源は電気的に接続される。
さらに説明を加えると、本実施形態では、発光ダイオード配列モジュール１３０は複数個の固定孔１３２（図２では４つだけ示されている）を有し、ダイオードランプ１００は複数個の第一締め具部材１８０（図２では４つだけ示されている）を含む。
これらの第一締め具部材１８０はそれぞれこれらの固定孔１３２を貫通し、発光ダイオード配列モジュール１３０は主体１２０の収納空間１２２ｄ内に固定される。
本実施形態では、これらの第一締め具部材１８０は例えば、ねじやボルトである。発光ダイオード配列モジュール１３０は例えば複数個の発光ダイオード（図示せず）をプリント回路基板（図示せず）上に配列させ、かつこれらの発光ダイオードとプリント回路基板は電気的に連接され、組み立てられる。
【００２９】
ファン１４０は主体１２０に配置され、かつそれぞれの放熱フィン１２４の一端が一体となって構成するプラットホーム１２４ｂ上に位置づけられる。
さらに説明を加えると、本実施形態では、主体１２０は複数個の第一位置決め穴１２６（図２では２つだけ示されている）を有し、ファンは複数個の第二位置決め穴１４２（図２では２つだけ示されている）を有し、ダイオードランプ１００は複数個の第二締め具部材１９０（図２では２つだけ示されている）を含む。これらの第二締め具部材１９０はそれぞれこれらの第二位置決め穴１４２と、これらの第一位置決め穴１２６を順々に貫通し、これにより、ファン１４０は主体１２０の上に固定される。本実施形態ではこれらの第二締め具部材１９０は例えば、ねじやボルトである。
【００３０】
本実施形態では、ファン１４０と電源は電気的に接続され、これらの気流経路１２４ａと土台１２２に向けて吹き込まれる気流を発生させ、発光ダイオード配列モジュール１３０の熱を排出させる。
ファン１４０は第二締め具部材１９０によって、プラットホーム１２４ｂの上に固定されているので、電源がオンにされることによって発光ダイオード配列モジュール１３０が光を発生させるとき、ファン１４０の電源もオンにされることになり、これらの気流経路１２４ａと土台１２２に向けて吹き込まれる気流を発生させ、主動的に放熱が行われ、一方、これらの放熱フィン１２４は被動的に放熱を行い、発光ダイオード配列モジュール１３０の熱は排出される。
このため、本実施形態のダイオードランプ１００は熱を持ちすぎることによる破損が容易に発生しない。
注目すべきは、他の実施形態のダイオードランプ１００では必要に応じて、例えば、供給されるワット数が小さいとき、ファン１４０の設計を省略することも可能である。つまり、ファン１４０の設計は必要に応じて複数に設置することも可能である。
【００３１】
これ以外に、本実施形態では、ダイオードランプ１００はさらに複数個のホールダー構造１５０を含む。
ホールダー構造１５０はそれぞれ、弾性変化端１５２と自由端１５４を有する。
これらの弾性変化端１５２はそれぞれこれら支持部材１１４のこれらロッド部１１４ｂ上に組み立てられ、これら自由端１５４は力を加えられる前には底板１１２の外縁に当接される。
これ以外に、ダイオードランプ１００にはさらに少なくとも一つの三次光学部材１６０（図２では１つだけ示されている）と二次光学部材１７０が含まれる。三次光学部材１６０は主体１２０に配置され、かつ収納空間１２２ｄ内に位置づけられる。二次光学部材１７０は主体１２０に配置され、かつ発光ダイオード配列モジュール１３０と三次光学部材１６０の間に位置づけられる。
これ以外に、三次光学部材１６０は例えば、透明シート、くもりレンズあるいはレンズである。図２で示されている三次光学部材１６０は平面レンズあるいはくもりレンズを例として用いているが、これに限定されない。
二次光学部材１７０は例えば反射器、カップランプあるいは集光レンズであり、図２で示されている二次光学部材１７０は反射器を例として用いているが、これに限定されるわけではない。
【００３２】
ちなみに、本実施形態では、主体１２０はこれら第二係合部１２２ｃとこれら第一係合部１１４ｃを通り、フレーム１１０のこれら支持部材１１４上にピボットされる。
このように、主体１２０は特定方向に向け角度を調節し、発光ダイオード配列モジュール１３０から発生される光の投射方向を変えることができる。
これ以外に、これら第一係合部１１４ｃは例えば係止穴であり、これら第二係合部１２２ｃは例えばストッパーである。
もちろん、示されていない他の実施形態では、これらの第一係合部１１４ｃはストッパーであり、これら第二係合部１２２ｃは係止穴の嵌め込み式部材である。
このため、本実施形態において、図２に示されているこれら第一係合部１１４ｃは説明のための例にすぎず、これに限定されるわけではない。
【００３３】
図４Ａから図４Ｂは図１のダイオードランプを貫通穴を有する板材に嵌め込んだ様子を示す工程概略図である。
図４Ａと図４Ｂに示されているように、本実施形態のダイオードランプ１００は貫通孔２０を有する板材１０に嵌め込まれ、例をあげるなら、ダイオードランプ１００は天井の嵌め込み式ランプとして使われる。ここで留意すべきは、本実施形態では、貫通穴２０の口径は底板１１２の外径より小さく、貫通穴２０の口径はこれら支持部材１１４の間の距離より大きい。
【００３４】
さらに詳しく説明すると、ダイオードランプ１００が貫通穴２０を有する板材１０に嵌め込まれる時、これらホールダー構造１５０のこれら自由端１５４は力を受けることにより、ファン１４０の方向に近づくように移動し、つまり、自由端１５４の延長方向とこれら支持部材１１４のこれらロッド部１１４ｂの延長方向はほぼ平行であり、ダイオードランプ１００は順調に貫通穴２０内に嵌め込まれる。ダイオードランプ１００が貫通穴２０に嵌め込まれた後、これら弾性変化端１５２から提供される反発力によって、自由端１５４と底板１１２はともに板材１０を固定させる。
【００３５】
さらに、これら自由端１５４と板材１０はある角度によって、板材１０の表面に当接し、これら底板１１２の外径は貫通穴２０の口径より大きいため、底板１１２の上部の表面１１２ａは貫通穴２０の別の表面を覆い、底板１１２の下部の表面１１２ｂは板材１０の外に晒され、ホールダー構造１５０と底板１１２によって板材１０は固定させられる。言い換えるならば、ダイオードランプ１００は貫通穴２０に嵌め込まれた後、板材１０はホールダー構造１５０と底板１１２の間に位置づけられる。本実施形態では、これらホールダー構造１５０のこれら弾性変化端１５２は例えばスプリング１５２ａであり、これらホールダー構造１５０のこれら自由端１５４は例えばホールダー部であるが、これに限定されるわけではない。
【００３６】
上述の実施形態は本考案の技術思考及び特徴を説明するためのものにすぎず、当該技術分野を熟知する者に本考案の内容を理解させるとともにこれをもって実施させることを目的とし、本考案の特許範囲を限定するものではない。したがって、本考案の精神を逸脱せず行う各種の同様の効果をもつ改良又は変更は、後述の請求項に含まれるものとする。
【符号の説明】
【００３７】
１０  板材
２０  貫通穴
１００  ダイオードランプ
１１０  フレーム
１１２  底板
１１２ａ  上部の表面
１１２ｂ  下部の表面
１１２ｃ  開口部
１１４  支持部材
１１４ａ  基部
１１４ｂ  ロッド部
１１４ｃ  第一係合部
１２０  主体
１２２  土台
１２２ａ  外表面
１２２ｂ  底表面
１２２ｃ  第二係合部
１２２ｄ  収納空間
１２４  放熱フィン
１２４ａ  気流経路
１２４ｂ  プラットホーム
１２６  第一位置決め穴
１３０  発光ダイオード配列モジュール
１３２  固定孔
１４０  ファン
１４２  第二位置決め穴
１５０  ホールダー構造
１５２  弾性変化端
１５４  自由端
１６０  三次光学部材
１７０  二次光学部材
１８０  第一締め具部材
１９０  第二締め具部材
【図１】
0003163266.tif 000003
【図２】
0003163266.tif 000004
【図３】
0003163266.tif 000005
【図４Ａ】
0003163266.tif 000006
【図４Ｂ】
0003163266.tif 000007